(57)【要約】【目的】本発明は、測定領域検出方法および測定領域検出プログラムに関し、画像上である測定領域を指定すると当該測定領域と幅、長さが同じパターンの複数の測定領域を併せて抽出して測定し測定結果を出力することを目的とする。【構成】ＣＡＤ画像上で測定場所を指定するステップと、内接する矩形の測定領域（指定）を検出して表示するステップと、検出した測定領域（指定）と幅あるいは長さあるいは両者が同じあるいは所定範囲内で同じ他の測定領域を抽出して測定領域（予測）を生成するステップと、被測定試料からＳＥＭ画像を取得するステップと、測定結果を取得するステップと、取得した測定結果をＳＥＭ画像上の対応する測定領域（指定）および測定領域（予測）にそれぞれ表示するステップとを有する．【選択図】        図１
2011169835.tif 000002
【特許請求の範囲】
【請求項１】
走査型電子顕微鏡を用いて生成した画像上で幅、長さが同じあるいは所定範囲内にある複数の測定領域および測定結果を表示する測定領域検出方法において、
ＣＡＤデータから生成したＣＡＤ画像上で測定場所を指定するステップと、
前記ＣＡＤ画像上で指定された測定場所をもとに当該ＣＡＤ画像上で指定された測定場所において内接する矩形の測定領域（指定）を検出して表示するステップと、
前記検出した測定領域（指定）と幅あるいは長さあるいは両者が同じあるいは所定範囲内で同じ他の測定領域を抽出して測定領域（予測）を生成するステップと、
前記測定領域（指定）および測定領域（予測）をもとに、走査型電子顕微鏡を制御して、前記ＣＡＤデータをもとに作製された被測定試料からＳＥＭ画像を取得するステップと、
前記取得したＳＥＭ画像上で前記ＣＡＤ画像上の測定領域（指定）および測定領域（予測）に対応するパターンの測定を行って測定結果を取得するステップと、
前記取得した測定結果を、前記ＳＥＭ画像上の対応する前記測定領域（指定）および測定領域（予測）にそれぞれ表示するステップと
を有することを特徴とする測定領域検出方法。
【請求項２】
前記測定領域（指定）および測定領域（予測）は、ＣＡＤ画像上のパターンの存在するラインあるいはパターンの存在しないスペース内で、前記指定された測定場所においてそれぞれ内接する、幅あるいは長さあるいは両者が同じあるいは所定範囲内で同じ矩形を抽出することを特徴とする請求項１記載の測定領域検出方法。
【請求項３】
前記測定領域（指定）および測定領域（予測）は、ＣＡＤ画像上のパターンの存在するライン内あるいはパターンの存在しないスペース内で、前記指定された測定場所においてそれぞれ内接する矩形であって、測定領域（予測）の矩形は測定領域（指定）の矩形と同一の内接する矩形が抽出できない場合には、矩形の幅および長さのうちのいずれか一方あるいは指定されない方を小さくして内接する、幅あるいは長さあるいは両者あるいは所定範囲内で同じ矩形を抽出することを特徴とする請求項１記載の測定領域検出方法。
【請求項４】
前記測定結果は、実際の測定結果と、ＳＥＭ画像とＣＡＤ画像の差、全数のバラツキ、全数の平均のうちの１つ以上としたことを特徴とする請求項１から請求項３のいずれかに記載の測定領域検出方法。
【請求項５】
走査型電子顕微鏡を用いて生成した画像上で幅、長さが同じあるいは所定範囲内にある複数の測定領域および測定結果を表示する測定領域検出プログラムであって、
コンピュータを、
ＣＡＤデータから生成したＣＡＤ画像上で測定場所を指定するステップと、
前記ＣＡＤ画像上で指定された測定場所をもとに当該ＣＡＤ画像上で指定された測定場所において内接する矩形の測定領域（指定）を検出して表示するステップと、
前記検出した測定領域（指定）と幅あるいは長さあるいは両者が同じあるいは所定範囲内で同じ他の測定領域を抽出して測定領域（予測）を生成するステップと、
前記測定領域（指定）および測定領域（予測）をもとに、走査型電子顕微鏡を制御して、前記ＣＡＤデータをもとに作製された被測定試料からＳＥＭ画像を取得するステップと、
前記取得したＳＥＭ画像上で前記ＣＡＤ画像上の測定領域（指定）および測定領域（予測）に対応するパターンの測定を行って測定結果を取得するステップと、
前記取得した測定結果を、前記ＳＥＭ画像上の対応する前記測定領域（指定）および測定領域（予測）にそれぞれ表示するステップと
して機能させるための測定領域検出プログラム。
【発明の詳細な説明】
【技術分野】
【０００１】
本発明は、走査型電子顕微鏡を用いて生成した画像上で幅、長さが同じあるいは所定範囲内にある複数の測定領域および測定結果を表示する測定領域検出方法および測定領域検出プログラムに関するものである。
【背景技術】
【０００２】
従来、ＣＡＤデータから生成したＣＡＤ画像をマスクに露光して現像した当該マスク上のパターンや、更に、マスクを用いて露光して現像したウェハ上のパターンについて、走査型電子顕微鏡を用いたパターン検査装置で実画像のパターンを取得（撮影）して測定する場合、マスク基板やウェハ基板の上に形成されたパターンがある部分をラインと呼び、パターンがない部分をスペースと呼び、測定する場合に画像（ＣＡＤ画像あるいは実画像）上でいずれの部分を測定するかを指定する必要があり、測定者が画像を見てこの部分を測定すると１つ１つ全て指定していた。
【発明の開示】
【発明が解決しようとする課題】
【０００３】
このため、測定個所が多数になると、全ての測定個所を画像上で指定する必要があり、多大の作業が必要になってしまうと共に、画像上で同じ幅、長さのライン、スペースであっても全て１つ１つ指定しないと測定できないという問題があった。
【課題を解決するための手段】
【０００４】
本発明は、これらの問題を解決するため、走査型電子顕微鏡を用いて生成した画像上で幅、長さが同じあるいは所定範囲内にある複数の測定領域および測定結果を表示する測定領域検出方法において、ＣＡＤデータから生成したＣＡＤ画像上で測定場所を指定するステップと、ＣＡＤ画像上で指定された測定場所をもとにＣＡＤ画像上で指定された測定場所において内接する矩形の測定領域（指定）を検出して表示するステップと、検出した測定領域（指定）と幅あるいは長さあるいは両者が同じあるいは所定範囲内で同じ他の測定領域を抽出して測定領域（予測）を生成するステップと、測定領域（指定）および測定領域（予測）をもとに、走査型電子顕微鏡を制御して、ＣＡＤデータをもとに作製した被測定試料からＳＥＭ画像を取得するステップと、取得したＳＥＭ画像上で前記ＣＡＤ画像上の測定領域（指定）および測定領域（予測）に対応するパターンの測定を行って測定結果を取得するステップと、取得した測定結果をＳＥＭ画像上の対応する前記測定領域（指定）および測定領域（予測）にそれぞれ表示するステップとを有するようにしている。
【０００５】
この際、測定領域（指定）および測定領域（予測）は、ＣＡＤ画像上のパターンの存在するライン内あるいはパターンの存在しないスペース内で、指定された測定場所においてそれぞれ内接する、幅あるいは長さあるいは両者が同じあるいは所定範囲内で同じ矩形を抽出するようにしている。
【０００６】
また、測定領域（指定）および測定領域（予測）は、ＣＡＤ画像上のパターンの存在するラインあるいはパターンの存在しないスペース内で、指定された測定場所においてそれぞれ内接する矩形であって、測定領域（予測）の矩形は測定領域（指定）の矩形と同一の内接する矩形が抽出できない場合には、矩形の幅および長さのうちのいずれか一方あるいは指定されない方を小さくして内接する、幅あるいは長さあるいは両者あるいは所定範囲内で同じ矩形を抽出するようにしている。
【０００７】
また、測定結果は、実際の測定結果と、ＳＥＭ画像とＣＡＤ画像の差、全数のバラつき、全数の平均のうちの１つ以上とするようにしている。
【発明の効果】
【０００８】
本発明は、ＣＡＤ画像上で測定領域が指定されると自動的に幅あるいは長さが同じ測定領域を予測して抽出し、対応するＳＥＭ画像を取得して当該予測した測定領域の測定結果を表示することにより、画像上である測定領域を指定すると当該測定領域と幅、長さが同じパターン（スペース、ライン）の複数の測定領域を併せて抽出して測定し測定結果を出力することが可能となる。
【発明を実施するための最良の形態】
【０００９】
本発明は、画像上である測定領域を指定すると当該測定領域と幅、長さが同じパターン（スペース、ライン）の複数の測定領域を併せて抽出して測定し測定結果を出力するを実現した。
【実施例１】
【００１０】
図１は、本発明のシステム構成図を示す。
【００１１】
図１において、測定ＳＥＭ１は、試料（マスク）４の拡大画像を生成してパターン（ライン、スペースなどのパターン）の寸法を測定するものであって、電子線ビームを発生する電子銃１１、発生された電子線ビームを集束する集束レンズ１２、集束された電子線ビームを試料１７の上に細く絞る対物レンズ１６、試料１７の上で細く絞られた電子線ビームを平面走査（Ｘ方向およびＹ方向に走査）するための２段の偏向器１４、更に、細く絞った電子線ビーム２で試料４の上を平面走査したときに放出された２次電子、光、反射された反射電子を検出する検出器１５などから構成され、試料１７の表面の画像（２次電子画像、反射電子画像）などを生成する公知のものである。
【００１２】
アライメント１２は、電子銃１１から放出された電子ビームの光軸を集束レンズ１３、対物レンズ１６から構成される光学系の軸に、軸合わせするための偏向器である。
【００１３】
ステージ１８は、試料（マスクなど）１７を搭載し、Ｘ方向、Ｙ方向、Ｚ方向に移動するものであって、図示外のレーザ干渉計によりその座標を検出しつつ試料１７を所定の場所に正確に位置づけるための移動台である。
【００１４】
増幅器１９は、２次電子、反射電子などを検出する検出器１５などで検出された信号を増幅するものである。
【００１５】
ＰＣ（パソコン）２は、プログラムに従い各種制御、処理を行う公知のものであって、ここでは、ＣＡＤ画像表示手段２１、測定領域表示手段２２、ＳＥＭ画像取得手段２３、結果表示手段２４、ＳＥＭ画像表示手段２５、ＣＡＤデータ２５、表示装置２６、および入力装置２７などから構成されるものである。
【００１６】
ＣＡＤ画像表示手段２１は、ＣＡＤデータ２６をもとに、当該ＣＡＤ画像データ２６をもとに作製したマスクのパターンの画像を作成して表示装置２７上にＣＡＤ画像として表示するものである（図３から図７参照）。
【００１７】
測定領域表示手段２２は、ＣＡＤ画像上に測定領域を表示するものであって、例えばＣＡＤ画像上で利用者からマウスなどにより測定場所が指定されるとその指定された場所を中心にパターン（ライン、スペース）内で内接する矩形（測定領域（指定））を検出し、更に、当該検出した矩形と幅、長さ、両者、更に、所定範囲で同じ他のパターンの矩形（測定領域（予測））を検出し、これら検出した矩形（測定領域（指定）、測定領域（予測））をＣＡＤ画像上に重畳して測定領域として表示するものである（図２から図７参照）。
【００１８】
ＳＥＭ画像取得手段２３は、ＳＥＭ画像上の測定領域（指定）および測定領域（予測）の情報をもとに、測定ＳＥＭ１を制御して、ステージ１８に装填された試料（マスク）１７上の対応する領域のＳＥＭ画像を撮影して取得するものである。具体的には、ＣＡＤ画像（ＣＡＤデータ２６）上の測定領域（指定）および測定領域（予測）の座標をもとに、試料（マスク）１７を搭載したステージ１８を図示外のレーザ干渉計で測定しつつ該当する領域に位置づけ、所定倍率で焦点合わせしてＳＥＭ画像を撮影して取得するものである（公知技術である）。
【００１９】
結果表示手段２４は、ＳＥＭ画像取得手段２３で取得したＳＥＭ画像上で、ＣＡＤ画像上で指定された測定領域（指定）およびその測定領域（予測）に対応する当該ＳＥＭ画像上のパターン（ライン、スペースなどのパターン）の寸法を測定し、その測定結果をＳＥＭ画像上の該当領域に表示するものである（図３の（ｃ）参照）。
【００２０】
ＳＥＭ画像表示手段２５は、ＳＥＭ画像取得手段２３により取得したＳＥＭ画像を表示装置２７に表示するものである（図３の（ｃ）参照）。
【００２１】
ＣＡＤデータ２６は、ウェハ上のパターンを設計したＣＡＤデータである（図３から図７参照）。
【００２２】
表示装置２７は、画像などを表示する表示装置である。
【００２３】
入力装置２８は、データや指示を入力するものであって、マウス、キーボード、タッチペンなどの入力装置である。
【００２４】
次に、図２のフローチャートの順番に従い、図１の構成の動作を詳細に説明する。
【００２５】
図２は、本発明の動作説明フローチャートを示す。
【００２６】
図２において、Ｓ１は、ＣＡＤ画像を表示する。これは、利用者がこれから図１の測定ＳＥＭ１のステージ１８に装着してパターン（スペース、ラインなど）の寸法を測定する対象の試料（マスク）１７を作製したＣＡＤデータ２６をもとに生成したＣＡＤ画像を表示装置２７に表示する（図３の（ａ）参照）。この際、ＣＡＤ画像は、例えば
・ＣＡＤデータ：
・画像（中心）：
・領域（Ｘ０，Ｙ０）：
の３つを指定して表示させる。ＣＡＤデータは、これから測定しようとする試料（マスク）を作製したＣＡＤデータである。画像（中心）は、測定しようとするＣＡＤ画像の中心を指定する。領域（Ｘ０，Ｙ０）は、ＣＡＤ画像上で、指定された画像（中心）を中心に、測定する領域を当該領域（Ｘ０．Ｙ０）として指定する。
【００２７】
Ｓ２は、測定領域（指定）を表示する。これは、利用者が図１の入力装置２８を操作し、Ｓ１で表示装置２７上に表示されたＣＡＤ画像上で測定領域を入力装置（マウス）２８でクリックして測定場所を指定すると、当該指定された場所においてラインあるいはスペース内で内接する矩形を検出して測定領域（指定）として表示する（図３の（ａ）参照）。この際、指定された場所を含む内接する矩形の幅を見つけてデフォルトの長さの矩形（測定領域（指定））を生成して表示する。
【００２８】
Ｓ３は、両端のスペース（ライン）を考慮か判別する。これは、Ｓ２で生成して表示した矩形（測定領域（指定））について、両端のスペース（ライン）がほぼ同じ幅であることを考慮して測定対象とするか判別する。ＹＥＳの場合には、ライン（スペース）の幅あるいは長さがほぼ同一のみならず、隣接するスペース（ライン）の幅あるいは長さもほぼ同一であることが条件となると判明したので、Ｓ４に進む。ＮＯの場合には、Ｓ５に進む。
【００２９】
Ｓ４は、Ｓ３のＹＥＳで、測定領域（指定）のライン（スペース）の幅あるいは長さがほぼ同一の他のライン（スペース）みならず、隣接するスペース（ライン）の幅あるいは長さもほぼ同一であることが条件となると判明したので、測定領域（指定）のライン（スペース）の両側のスペース（ライン）の幅と同一（ほぼ同一を含む）のものを選択（例えば図３の（ｂ）の○１の測定領域（指定）に対して、○２、○３、○４の測定領域（予測）を選択）し、Ｓ５に進む。
【００３０】
Ｓ５は、デフォルトの長さが確保できないか判別する。これは、Ｓ２で生成した測定領域（指定）の矩形（例えば図３の（ｂ）の○１の矩形）およびＳ４で生成した測定領域（予測）の矩形（例えば図３の（ｂ）の○２、○３、○４の矩形）がデフォルトの長さが確保できないか判別する。ＹＥＳの場合には、Ｓ６に進む。ＮＯの場合には、Ｓ７に進む。
【００３１】
Ｓ６は、Ｓ５のＹＥＳで、フォルトの長さが確保できない、例えば図６の（ｂ）に示す、○１の測定領域（指定）の矩形のデフォルトの矩形の長さが、○２と○３の測定領域（予測）の矩形では確保できず、短くなってしまうので、この場合には、デフォルトを確保できる最大の長さに変更する。例えば図６の（ｂ）の○２と○３の測定領域（予測）の矩形の場合には、図示のように最大に確保できる長さに変更した矩形とし、Ｓ７に進む。
【００３２】
Ｓ７は、同一幅の測定領域（予測）の表示する。これは、Ｓ３からＳ６で生成した測定領域（予測）を、ＣＡＤ画面上に表示、例えば図３の（ｂ）の○１の測定領域（指定）に加えて○２、○３、○４の測定領域（予測）を表示、あるいは図６の（ｃ）の○１の測定領域（指定）に加えて○２、○３の測定領域（予測）を表示する。
【００３３】
Ｓ８は、対応するＳＥＭ画像を取得して測定する。これは、Ｓ７でＣＡＤ画像上で表示された測定領域（指定）および測定領域（予測）について、公知の技術により図１の測定ＳＥＭ１を制御して対応するＳＥＭ画像を撮影して測定（測定）する。
【００３４】
Ｓ９は、ＳＥＭ画像上に測定結果を表示する。これは、Ｓ８で測定した測定結果（測定結果）をＳＥＭ画像上に測定領域（指定）および測定領域（予測）に対応づけて表示、例えば図３の（ｃ）に示すように、測定領域（指定）および測定領域（予測）の矩形の各場所における測定場所のマークと測定数値（図示せず）、更に、ＳＥＭ画像とＣＡＤ画像の差、全数のバラツキ、全数の平均などを併せて表示する（図示せず）。
【００３５】
以上によって、利用者がＣＡＤ画像上でマウスで測定場所を指定する、自動的に当該指定された測定場所のパターン（ラインあるいはスペース）内で内接する矩形（測定領域（指定））を自動生成して表示（図３の（ｂ）の○１）、更に、同じ幅、長さを持つ他のパターン内で内接する矩形（測定領域（予測））を自動的に検出してＣＡＤ画像上に表示（図３の（ｂ）の○２、○３、○４）し、これらの際、デフォルトの長さ、幅が確保できない場合には短くした矩形（測定領域（指定）、測定領域（予測））を自動生成してＣＡＤ画像上に表示し、更に、測定領域（指定）の両側のスペース（ライン）の幅、長さを同一（ほぼ同一を含む）の条件を付加して類似の他の矩形（測定領域（予測））を検出してより同じ条件での測定領域（予測）を自動検出して表示することが可能となる。そして、自動検出した測定領域（指定）および測定領域（予測）について、自動的にＣＡＤデータをもとに当該ＣＡＤデータから作成した試料（マスク）からＳＥＭ画像を撮影して当該ＳＥＭ画像上で測定してその結果を測定領域（指定）および測定領域（予測）に対応付けて表示すると共にＣＡＤデータ上のＣＡＤ画像との差、更に、全数のバラつき、全数の平均などを集計して表示することが可能となる。
【００３６】
以下詳細に順次説明する。
【００３７】
図３は、本発明の説明図を示す。
【００３８】
図３の（ａ）は、ＣＡＤ画像上の測定領域（指定）の例を示す。図示の画像は、ＣＡＤデータをもとに生成したＣＡＤ画像であって、当該ＣＡＤデータをもとに作製した試料（マスク）のパターンに対応するＣＡＤ画像であり、ラインと記載した部分が実際にパターンの残っている部分であり、スペースと記載した部分が実際にパターンの無い部分である（以下同様）。
【００３９】
図３の（ａ）において、○１の矩形は、測定領域（指定）の例であって、ＣＡＤ画像上で利用者がマウスを操作して図示のスペースの部分をクリックすると、当該クリックした部分（指定場所）を含むパターン（ここでは、スペース）内に内接する矩形を図示のように自動生成して表示したものである。測定領域（指定）の表示手順は、利用者がマウスで測定場所をクリックすると、当該クリックして選択した測定場所を含む、ここでは、スペース内で幅が内接し、長さがデフォルトの図示の○１の矩形を測定領域（指定）として生成して表示する。そして、併せて、ここでは、幅が同じ矩形の候補を、図示の横矢印でそれぞれ表示する。
【００４０】
図３の（ｂ）は、ＣＡＤ画像上の測定領域（指定）および測定領域（予測）の例を示す。ここでは、図３の（ａ）で示した幅が同じ矩形の候補を、測定領域（予測）として検出して○２、○３、○４の測定領域（予測）を併せて表示したものである（図２のフローチャート参照）。
【００４１】
図３の（ｃ）は、ＳＥＭ画像とその測定結果の表示例を示す。図示のＳＥＭ画像は、図３の（ｂ）のＣＡＤ画像上に表示した測定領域（指定）および測定領域（予測）をもとに、図１のＳＥＭ画像取得手段２３が図１の測定ＳＥＭ１を制御してステージ１８に装着した試料（マスク）１７から対応する領域のＳＥＭ画像を取得して表示したものである。そして、ＳＥＭ画像上に測定結果として、ＣＡＤ画像上の測定領域（指定）および測定領域（予測）の矩形について当該ＳＥＭ画像上で測定し、測定した各幅の部分の横矢印で表示すると共に併せて測定値（値は図示せず）を表示する。これに加えて更に、
・ＳＥＭ画像とＣＡＤ画像（設計データ）との差：    
・全数のバラツキ（標準偏差）：
・全数の平均：
などを集計して表示する。
【００４２】
以上のように、利用者がＣＡＤ画像上で測定場所をマウスで指定すると、指定場所を含むパターン内で内接する矩形を測定領域（指定）として表示すると共に、併せて幅、長さが同じ他のパターン内で内接する矩形を測定領域（予測）として自動検出して表示し、これら表示した測定領域（指定）および測定領域（予測）について自動的にＳＥＭ画像を取得して表示すると共に測定して測定結果を重畳して表示することにより、あるパターンと同一の幅、長さを持つ他のパターンとのバラツキなどを利用者は非常に簡単な操作で測定することが可能となる。
【００４３】
図４は、本発明のＣＡＤ画像例（その１）を示す。
【００４４】
図４の（ａ）は、ＣＡＤ画像のライン・スペース内で内接する矩形を生成する例を示す。図示では、スペース内の測定場所を利用者がマウスでクリックしたことに対応して、当該指定された測定場所を含む、ここでは、図示のスペース内に内接する矩形（測定領域（指定））を自動生成してＣＡＤ画像上に表示した例を示す。測定領域（指定）を表す矩形は、幅は内接し、長さはデフォルトの長さの矩形である。尚、図示では、スペース内に測定領域（指定）を生成して表示したが、ライン内に測定領域（指定）を生成して表示してもよい。いずれかに表示するかは、利用者がラインあるいはスペース内のいずれをマウスでクリックして場所を指定するかに依存している。
【００４５】
図４の（ｂ）は、ＣＡＤ画像のホール内で内接する矩形を生成する例を示す。図示では、ホールとなる正方形のスペース内の測定場所を利用者がマウスでクリックしたことに対応して、当該指定された測定場所を含む、ここでは、図示の正方形のスペース内に内接する矩形（測定領域（指定））を自動生成してＣＡＤ画像上に表示した例を示す。測定領域（指定）を表す矩形は、幅は内接し、長さはデフォルトの長さの矩形であるがここでは確保できないので同様に内接する長さの矩形としたものである。
【００４６】
図５は、本発明のＣＡＤ画像例（その２）を示す。図示のＣＡＤ画像上で全パターン（ラインあるいはスペース）の端点を全て図示の●のように検出し、これら端点を点線で示すように結んで領域の大きさ（横、縦、中心位置）を表すことで、当該ＣＡＤ画像上にどのようなパターン（領域）が配列されているかを自動認識することが可能となる。これにより、既述した測定領域（指定）、測定領域（予測）をパターン内に生成して表示することが可能となる。
【００４７】
図６は、本発明の説明図（ライン／スペース）を示す。
【００４８】
図６の（ａ）は、測定領域（指定）の例を示す。図示の測定領域（指定）は、ＣＡＤ画像上で利用者がマウスでスペース内の場所をクリックしたことに対応して、当該クリックしたスペース内の測定場所を含む内接する矩形の幅を求め、次に、デフォルトの長さの当該矩形を○１測定領域（指定）として生成して表示したものである。
【００４９】
図６の（ｂ）は、測定領域（予測）の矩形の長さがデフォルトよりも小さくなる例を示す。ここで、図６の（ａ）で表示した○１測定領域（指定）の幅と同じ幅のスペースの部分が○２、○３として見つかける。しかし、当該見つけた○２、○３のスペース部分には、測定領域（指定）と同じ長さの矩形を確保できないことが、各端点の座標から判明したので、ここでは、確保できる長さに変更して図示の○２、○３の点線の矩形として生成することが判明する。
【００５０】
図６の（ｃ）は、測定領域（指定）および測定領域（予測）の表示例を示す。図中の○１は測定領域（指定）であり、○２、○３は測定領域（予測）である。○２、○３の測定領域（予測）は、図６の（ｂ）のように、即ち、幅が同じで長さが確保できないときは確保できる長さにした矩形を測定領域（予測）として生成して表示したものである。これにより、測定領域（指定）と同じ幅であるが、長さが確保できない測定領域（予測）では長さを短くした内接矩形を確保して図示○２、○３の測定領域（予測）とすることにより、あるパターンを指定するのみで、幅が同じで長さが異なる矩形となる測定領域（予測）を自動生成して表示し、同じ幅のパターンの測定結果を自動的に取得してその測定値、バラツキなどを測定することが可能となる。
【００５１】
図７は、本発明の説明図（ホール）を示す。
【００５２】
図７の（ａ）は、ＣＡＤ画像のホールの端点例を示す。ＣＡＤ画像上でホールは、図示の●のようにそれぞれ端点を検出することができる。これら端点を点線のように結んでホールとなり、ここではスペース、ラインの領域を認識することが可能となる。
【００５３】
図７の（ｂ）は、ＣＡＤ画像の測定領域（指定）の例を示す。図示の測定領域（指定）は、利用者がＣＡＤ画像上で中央のスペース内をマウスでクリックして場所を指定したことに対応して、当該指定場所を含む内接矩形を生成し、○１測定領域（指定）として表示したものである。尚、詳細には既述したように、クリックされた指定場所内の内接する幅を求め、次にデフォルトの長さの矩形とするがここで長すぎるので内接する長さ（確保できる最大の長さ）を求め図示の内接する幅と長さとからなる矩形を測定領域（指定）として自動生成して表示したものである。
【００５４】
図７の（ｃ）は、ＣＡＤ画像の測定領域（指定）および測定領域（予測）の例を示す。ここでは、○１は測定領域（指定）を示し、○２から○９は測定領域（予測）を示す。○２から○９の測定領域（予測）は、○１の測定領域（指定）の幅が同じ他のスペース内の○２から○９を求めてこれらを測定領域（予測）として生成して表示したものである。
【産業上の利用可能性】
【００５５】
本発明は、ＣＡＤ画像上で測定領域が指定されると自動的に幅あるいは長さが同じ測定領域を予測して抽出し、対応するＳＥＭ画像を取得して当該予測した測定領域の測定結果を表示する測定領域検出方法および測定領域検出プログラムに関するものである。
【図面の簡単な説明】
【００５６】
【図１】本発明のシステム構成図である。
【図２】本発明の動作説明フローチャートである。
【図３】本発明の説明図である。
【図４】本発明のＣＡＤ画像例（その１）である。
【図５】本発明のＣＡＤ画像例（その２）である。
【図６】本発明の説明図（ライン／スペース）である。
【図７】本発明の説明図（ホール）である。
【符号の説明】
【００５７】
１：測定ＳＥＭ
１１：電子銃
１２：アライメント
１３：集束レンズ
１４：偏向器
１５：２次電子検出器
１６：対物レンズ
１７：試料（マスク）
１８：ステージ
１９：増幅器
２：ＰＣ（パソコン）
２１：ＣＡＤ画像表示手段
２２：測定領域表示手段
２３：ＳＥＭ画像取得手段
２４：結果表示手段
２５：ＳＥＭ画像表示手段
２６：ＣＡＤデータ
２７：表示装置
２８：入力装置
【図１】
2011169835.tif 000003
【図２】
2011169835.tif 000004
【図３】
2011169835.tif 000005
【図４】
2011169835.tif 000006
【図５】
2011169835.tif 000007
【図６】
2011169835.tif 000008
【図７】
2011169835.tif 000009